(57)【要約】数字及び／またはキャラクタ「*」あるいは「＃」のみを含むシーケンスが、電話呼び出しの確立前に番号をインプットするためだけに、同様のモードに設置されたモバイル機器に一つのシーケンスがインプットされ、シーケンスのインプットは、接続確立キーを押すことで確認され、前記モバイル機器及び／または、前記モバイル機器中の加入者識別カード中のプログラムは、前記シーケンスが所定の特殊な構文を有している場合、前記アプリケーションを起動する、という段階を特徴とする、モバイル機器（２６）を用いてアプリケーションを始動させる方法。
2004536540.tif 000002
【特許請求の範囲】
【請求項１】
モバイル機器（２６）を用いてアプリケーションを始動させる方法であり、
電話呼び出しの確立前に番号をインプットするためのものと、同様のモードに設置されたモバイル機器に一つのシーケンス（２１３）がインプットされ、
前記モバイル機器（２６）中の及び／または、前記モバイル機器中の加入者識別カード（２７）中のプログラム（２２）が、前記シーケンスが所定の特殊な構文を有している場合、前記アプリケーション（２５）を起動するという手順を特徴とする方法。
【請求項２】
シーケンスのインプットは、接続確立キー（２１０）を押すことで確認されることを特徴とする、請求項１に記載の方法。
【請求項３】
前記シーケンスは、数字及び／またはキャラクタ「*」あるいは「＃」のみを含むことを特徴とする、請求項２に記載の方法。
【請求項４】
前記所定の特殊な構文は、電話通信の確立または、ＵＳＳＤメッセージを送るために用いられるものと構文が異なることを特徴とする、請求項１または請求項２に記載の方法。
【請求項５】
前記アプリケーション（２５）は、オペランドを変換するアプリケーションであり、そのアプリケーションの結果が、前記モバイル機器のディスプレイ（２１１）に表示されることを特徴とする、請求項４に記載の方法。
【請求項６】
前記オペランドのフォーマットは、第一の数字部分と、前記モバイル機器（２６）の数字のキーボード（２１２）上の英数字のキャラクタから形成されたセパレータと、そしてディジットが、固定または限定された第二の数字部分とを有することを特徴とする、請求項５に記載の方法。
【請求項７】
前記アプリケーション（２５）が、異なる二つの変換方向で前記オペランドの変換を開始すると、その二つの結果は、同時に前記ディスプレイ（２１２）に表示されることを特徴とする、請求項５または請求項６に記載の方法。
【請求項８】
前記アプリケーション（２５）は、遠隔サーバ（８）との通信を前提としたものであることを特徴とする、請求項１から請求項７のいずれか一つに記載の方法。
【請求項９】
前記アプリケーション（２５）が、前記遠隔サーバ（８）にリクエストを送ることを特徴とする、請求項８に記載の方法。
【請求項１０】
前記リクエストが、ショート・メッセージＳＭＳによって、前記サーバ（８）に送られることを特徴とする、請求項９に記載の方法。
【請求項１１】
前記リクエストが、パケット伝送通信網中をパケット・データの形で、前記サーバ（８）に送られることを特徴とする、請求項９に記載の方法。
【請求項１２】
前記リクエストが、ｅメールによって前記サーバ（８）に送られることを特徴とする、請求項９に記載の方法。
【請求項１３】
前記サーバ（８）が、前記リクエストにレスポンスを内包するメッセージを送ると、前記レスポンスは、前記ディスプレイ（２１１）に表示されることを特徴とする、請求項９から請求項１３のいずれか一つに記載の方法。
【請求項１４】
前記レスポンスが、モバイルネットワークの加入者のプロフィールによって変わるものであることを特徴とする、請求項１４に記載の方法。
【請求項１５】
前記プロフィールの少なくとも幾つかの要素（９）を、前記遠隔サーバ（８）に保存することを特徴とする、請求項１から請求項１３のいずれか一つに記載の方法。
【請求項１６】
前記プロフィールの少なくとも幾つかの要素を、識別カード中に保存することを特徴とする、請求項１４または請求項１５に記載の方法。
【請求項１７】
前記アプリケーションが、前記移動基地局（２１）中の加入者識別カード（２７）によって実行されることを特徴とする、請求項１から請求項１６のいずれか一つに記載の方法。
【請求項１８】
前記アプリケーションが、前記モバイル機器（２６）によって実行されることを特徴とする、請求項１から請求項１７のいずれか一つに記載の方法。
【請求項１９】
前記プログラムが、前記移動基地局中の加入者識別カード（２７）によって実行される、コマンド解釈プログラムであることを特徴とする、請求項１から請求項１８のいずれか一つに記載の方法。
【請求項２０】
前記加入者識別カード（２７）が、ＳＩＭ−Ｔｏｏｌｋｉｔ機能を備えたＳＩＭカードであり、前記コマンド解釈プログラム（２２）は、前記シーケンスの構文を検証するための呼び出し制御機能を用いていることを特徴とする、請求項１９に記載の方法。
【請求項２１】
前記コマンド解釈プログラム（２２）及び／または前記アプリケーション（２５）は、モバイルネットワークのオペレーターがパーソナル化を行う際、加入者識別カード（２７）中にインストールされることを特徴とする、請求項２０に記載の方法。
【請求項２２】
前記コマンド解釈プログラム（２２）及び／または前記アプリケーション（２５）が、空路によって、前記加入者識別カード（２７）中に無線でインストールされることを特徴とする、請求項２０に記載の方法。
【請求項２３】
前記コマンド解釈プログラム（２２）が、前記モバイル機器（２６）によって実行されることを特徴とする、請求項１から請求項１８のいずれか一つに記載の方法。
【請求項２４】
幾つもの別々のアプリケーション（２５）が、前記コマンド解釈プログラム（２２）によって認識された様々なシーケンスがインプットされることにより起動することを特徴とする、請求項１から請求項２３のいずれか一つに記載の方法。
【請求項２５】
電話による呼び出しを確立するシーケンスと同様の方法で、モバイル機器（２６）中にインプットされたシーケンスを傍受し、このようなシーケンスのフォーマットが、電話番号のフォーマットとは異なり、そしてＵＳＳＤメッセージのフォーマットとも異なることを認識し、そして、この場合にアプリケーション（２５）を始動するための、コマンド解釈プログラム（２２）を含むことを特徴とする、モバイル機器（２６）用の識別カード。
【請求項２６】
電話による呼び出しを確立するシーケンスと同様の方法で、モバイル機器（２６）中にインプットされたシーケンスを傍受し、このようなシーケンスのフォーマットが、電話番号のフォーマットとは異なり、そしてＵＳＳＤメッセージのフォーマットとも異なることを認識し、そして、この場合にアプリケーション（２５）を始動するためのコマンド解釈プログラム（２２）を含むことを特徴とする、モバイル機器（２６）。
【発明の詳細な説明】
【技術分野】
【０００１】
本発明は、例えば携帯電話や、通信インターフェイスを備え、また、通信を確立することのできる電子手帳（ＰＤＡ）のような、移動基地局からアプリケーションを始動させる装置と方法に関するものである。
【背景技術】
【０００２】
現代の携帯電話や発達したＰＤＡは、多様な機能性を提供する、様々なアプリケーションの多くの実行を可能にしている。これらのアプリケーションは、一般的にモバイル機器にインストールされた情報プログラムやアプレットによって構成される。モバイルネットワークの加入者は、一般的にメニュー・システムを通して、またはユーザーのグラフィック・インターフェイス中のアイコンを選択することによってアクセスすることができる。モバイル機器、特に携帯電話のスクリーンの大きさは限られ、キーボードのキーの数も制限されているために、多くのユーザーは、これらを使うのを諦めてしまっており、これらの解決法は、人間工学的にみて快適でないことが判明している。一方で、想定されたメニューのメモリ・ハイアラキの変更なしに、新たなアプリケーションをインプットすることは困難である。一方で、グラフィック・インターフェイス・システムは、用いられるメモリーのスペースと計算時間の点において、携帯電話のプロセッサーとしては高価なものになっている。
【０００３】
例えば、国際公開第９８／２７７６０号パンフレットには、通貨変換アプリケーションを含むモバイル機器について記述されている。変換を実施するアプリケーションには、面倒なメニューとサブ・メニューによってしかアクセスできず、モバイルネットワークの加入者にとっては人間工学的に快適なものではない。
【０００４】
幾つかのアプリケーションを始動するための携帯電話の補足的なキーを装備するために、様々な解決法が提案された。このようなキーに割り当てられる配置と機能は、標準的なものではなく、これらのキーの操作を習得しなくてはならない。音声コマンドにより、アプリケーションを始動することのできるモバイル機器も知られているが、それに要する計算出力の点において、解釈が高価である。
【特許文献１】
国際公開第９８／２７７６０号パンフレット
【発明の開示】
【発明が解決しようとする課題】
【０００５】
本発明の目的は、先行技術の不都合を回避する、移動基地局からアプリケーションを始動するための新しい方法を提案することである。
【課題を解決するための手段】
【０００６】
本発明においては、そのような目的を達成する手段としての方法は、請求項１の要素を有するものであり、望ましい変形例はまた、引用する請求項に示されている。
【０００７】
特に、そのような目的を達成するのに用いる方法は、以下のような手順を含むものである。
【０００８】
電話呼び出しの確立を要請するための番号をインプットするモードに設置された前記モバイル機器中に、一つのシーケンスがインプットされる。
【０００９】
シーケンスのインプットは、接続確立キーを押すことで確認される。
【００１０】
例えば前記モバイル機器中に挿入された加入者識別カード中において、前記モバイル機器に接続されている、前記モバイル機器中の及び／または、周辺装置中のコマンド解釈プログラムは、前記シーケンスが所定の特殊な構文を有している場合、前記アプリケーションを起動する。
【００１１】
好ましい変形例においては、前記シーケンスは、数字及び／またはキャラクタ「*」あるいは「＃」のみを含み、このように、モバイル機器のキーボードに直接インプットすることができる。他のキャラクタは、そのモバイル機器のキーボードまたはインプット手段が、許容可能である場合に用意される。
【００１２】
好ましい変形例においては、前記所定の特殊な構文は、電話通信の確立に用いられるものと構文が異なる。このように、モバイル機器中、または好ましくは（ＳＩＭカードのような）加入者識別モジュール中にあるコマンド解釈プログラムは、モバイルネットワークの加入者によって構成される数値シーケンスを分析することが可能であり、また、解釈プログラムが働きかけを放棄し、呼び出しまたはＵＳＳＤ送付が正常に実施された場合に、これらのデータが通信確立の要請またはＵＳＳＤ送付の要請に対応しているかどうかを検証することが可能である。逆の場合、シーケンスの構文が所定の動機に対応するものである場合、コマンド解釈プログラムは、モバイル機器及び／または遠隔サーバによって、ＳＩＭカードが実行するアプリケーションを起動する。
【００１３】
そういうわけで、本発明は特に、コマンド回線付きのインターフェイスで活用するシステムの中にコマンド入力回線を作るために、電話番号のインプット回線の機能性を拡張することにある。このようなインターフェイスは、しばしば、ＣＬＩ（ｃｏｍｍａｎｄ  ｌｉｎｅ  ｉｎｔｅｒｆａｃｅ）という英語の略号で示される。
【００１４】
本発明はまた、このコマンド回線にインプットされたコマンドのための構文を規定するためにあるものであり、前記構文は、電話通信の確立、またはＵＳＳＤの送付を要請するためにインプットする数字のシーケンスと区別可能な、キーのシーケンスのみを含むものである。コマンドのインプットは、好ましくは、通信確立要請キー（大抵のモバイル機器にあるＣＡＬＬまたはＯＫというキー）によって有効となる。
【００１５】
本発明のシステムは、モバイル通信ネットワークを介することでアクセスが可能な、遠隔サーバまたはサーバの集合を活用することが可能である。サーバは、とくに、以下のような機能性を提供する：
【００１６】
・モバイル機器中の及び／またはＳＩＭカード中のコマンド解釈プログラム、及びアプリケーションの設置と保守。これらの働きかけは、モバイル機器に宛てた空間インターフェイス（ＯＴＡ技術、Ｏｖｅｒ−Ｔｈｅ−Ａｉｒ）を介して送られたメッセージによって、または、モバイル機器のＳＩＭカードのパーソナル化に際し、または直接、そのモバイル機器、または、モバイル機器に接続可能な一切の周辺装置の製造段階で、実行可能である。
【００１７】
・例えば、モバイル機器の、複数の加入者のプロフィールを確立するための、モバイルネットワークの加入者、及びこれらのリクエストの記録の軌跡の識別。モバイルネットワークの加入者は、好ましくは、ＳＩＭカード中あるいは、モバイル機器に接続された他の周辺装置中で、読み取りあるいは生成され、サーバに送られたリクエストの中に伝送された識別データによって識別される。識別データは、例えばＩＭＳＩ（Ｉｎｔｅｒｎａｔｉｏｎａｌ  Ｍｏｂｉｌｅ  Ｓｕｂｓｃｒｉｂｅｄ  Ｉｄｅｎｔｉｆｉｃａｔｉｏｎ）呼び出し番号、及び／またはＳＩＭカードで生成された電子署名を含んでいる。
【００１８】
・（モバイルネットワークの加入者のモバイル機器、ウェブサイト、ｅメール、音声分析あるいはＤＴＭＦパルスコード等システムの）様々なインターフェイスを通して規定された、（好みの通信言語、変換パラメーター、地理的状況、パーソナル化され、選択されたアプリケーション次第で異なる基準等の）モバイルネットワークの加入者のプロフィールと好みを管理する。
【００１９】
・例えばＳＭＳ、またはその他のタイプのメッセージによる、モバイルネットワークの加入者のモバイル機器に対する、偶発的な回答の作成と送付。
【００２０】
コマンドインプット方法は、直観的であり、面倒な学習が必要ないことを利点に要求されている。モバイルネットワークの加入者は、従来の電話呼び出しの環境を捨て去る必要がないだけでなく、例えばメニューの中から選択を実施する必要もない。このように、操作は単純化され、最大限の実行を迅速に行うことを可能にする。その動作は、（ＧＳＭ，ＵＭＴＳ，ＧＰＲＳ等の）現在流通している大部分の移動通信機器と互換性があり、最新の機器を必要とするものではない。
【発明を実施するための最良の形態】
【００２１】
本発明は、添付図面と共に、以下の例として述べられている説明を読むことにより、よりよく理解されるであろう。
【００２２】
・図１は、モバイル機器の中の識別カードと遠隔サーバとを包含するシステムの全体図である。
【００２３】
・図２は、識別カードによって実行される本発明の方法の各手順のフローチャートであある。
【００２４】
・図３は、通貨の変換のアプリケーションを起動するコマンドの、インプットスクリーンを示したものである。
【００２５】
・図４は、上記のコマンドのインプットに続き、遠隔サーバから生成された結果を表示する際の、モバイル機器のスクリーンを示したものである。
【００２６】
図１は、本発明による、移動基地局２１を含むシステムを示しており、それは例えば、ＧＳＭ，ＧＰＲＳ，ＨＳＣＳＤ、またはＵＭＴＳ方式の携帯電話であったり、あるいは、通信インターフェイスを備えたＰＤＡであったりする。移動基地局２１は、例えば、ユーザーネットワークのモバイルネットワークのオペレーターによって管理されている、ショート・メッセージのサーバＳＭＳＣ（Ｓｈｏｒｔ  Ｍｅｓｓａｇｅ  Ｓｙｓｔｅｍ  Ｃｅｎｔｅｒ）のような、メッセージ・センター７を介して、遠隔サーバ８−９−１０と交信するのに適している。遠隔サーバ８−９−１０は、それ自身が、例えばインターネットのようなネットワーク１１を介して、付加価値のあるサービス業従事者のサーバ１２に接続可能なものである。
【００２７】
移動基地局２１は、モバイル機器２６及び加入者識別モジュール２７、例えば、取り外し可能なＳＩＭ（Ｓｕｂｓｃｒｉｂｅｒ  Ｉｄｅｎｔｉｆｉｃａｔｉｏｎ  Ｍｏｄｕｌｅ）カードか仮想カードのような、チップカードを含むものである。２２から２５の様々なモジュールは、ＳＩＭカードの中か、あるいは移動基地局２１のモバイル機器２６中に記憶される。モバイル機器は、様々な周辺装置を含んでいても、直接接続されていてもよく、該周辺装置は、例えば、インテリジェントバッテリーやチップカード、例えばＰＣ−カード読み取り器やモバイル機器のコネクター等のような、スロットに挿入される取り外し可能なモジュールであったりする。表現の簡略化のため、モバイル機器という用語は、以後の説明でも請求の範囲でも、例えば携帯電話やＰＤＡのような機器それ自身と、このモバイル機器に接続された一つまたは複数の周辺装置とを指すものとする。
【００２８】
モジュール２２は、モバイル機器２６のキーボードでモバイルネットワークの加入者によって、呼び出しを確立するモードでインプットされたシーケンスを傍受すること、及び、これらのシーケンスの構文を検証することが可能な、コマンド解釈プログラムである。この構文が、電話通信の確立、または、ＵＳＳＤメッセージを送付するのに用いられているものとは異なる、規定のフォーマットに対応していた場合、コマンド解釈プログラム２２は、そのシーケンスに対応するアプリケーション２５を起動する。好ましい変型例としては、ＧＳＭネットワークにおいて、コマンド解釈プログラム２２は、ＧＳＭ１１．１４規格に基づく“ＳＩＭ  Ａｐｐｌｉｃａｔｉｏｎ  Ｔｏｏｌｋｉｔ”機能の一部である、呼び出し制御機能（“ＣＡＬＬ  ＣＯＮＴＲＯＬ”）によって、ＳＩＭカードの中で実現される。この機能は、モバイル機器の、普段はモバイルネットワークの加入者に電話番号を打ち込むことを可能にする、通信待ち受けモード（“ｉｄｌｅ  ｍｏｄｅ”）に基づいて、モバイルネットワークの加入者によってインプットされたシーケンスを傍受することが可能である。呼び出し制御機能は、このようにして、それらのシーケンスをＳＩＭカード中の呼び出し制御ルーチンに送ることを可能にし、構文の検証とアプリケーションの起動を実施する。しかしながら、本発明の枠内において、それらの周辺装置を含め、モバイル機器２６においてコマンド解釈プログラム２２、例えば、ＳＩＭカードに伝送する前であっても、モバイルネットワークの加入者によってインプットされたキーのシーケンスを傍受、分析するプログラムを用いることが同時に可能である。
【００２９】
モジュール２３は、そのモバイルネットワークの加入者の好みと個人情報を内包し、それは、コマンド解釈プログラム２２及び／または幾つかのアプリケーション２５で使用可能なものである。モバイルネットワークの加入者の好みは、例えば、その人が幾つかのタイプのアプリケーションを実行する権利を包含するものであってもよい；この場合、モジュール２２が、所定の構文に対応するアプリケーションを起動するのは、モバイルネットワークの加入者が、このアプリケーションを実行することを許可されているとモジュール２３が示した場合に限られる。モバイルネットワークの加入者の好みはまた、例えば、モバイルネットワークの加入者の言語、氏名、住所、請求書送付先、ｅメール・アドレス等の複数のアプリケーションで使用するパラメーターや、それぞれの用途に固有のパラメーターが包含されていてもよい。例えば、そのモバイルネットワークの加入者の現時点での位置、または、幾つかのアプリケーションの使用の際に、カード中に記憶され、口座から引き落とされる通貨の勘定の差引残高などの動的に変化するパラメーターを、このような好みに包含させることも可能である。このような好みと個人情報は、ＳＩＭカード２７及び／またはモバイル機器２６に記憶させることも可能である。本発明の枠内において、例えばモバイル通信ネットワークを通してアクセス可能な、遠隔サーバの中に記憶されたモバイルネットワークの加入者の好みと個人情報を検索することも可能である。
【００３０】
モジュール２４は、コマンド解釈プログラム２２及び／または幾つかのアプリケーション２５の結果に応じて、モバイル機器２６の表示を制御することを可能にする。モジュール２４により、例えば、コマンド解釈プログラム２２実行中に待ち受けメッセージを表示し、アプリケーション２５の要請を受けて偶発的な補足パラメーターを請求し、そして、これらのアプリケーションから供給された結果を表示することが可能になる。またそれとは別に、モジュール２４は、ＳＩＭカード２７及び／またはモバイル機器２６の中に記憶されたプログラムを有することが可能である。
【００３１】
モジュール２５は、コマンド回線が特定の構文で認識された場合、コマンド解釈プログラム２２によって起動された一つまたは複数のアプリケーションを内包する。始動した特定のアプリケーションと、このアプリケーションに伝送されたパラメーターは、モバイルネットワークの加入者がどのようなコマンド回線をインプットするかによって変化する。アプリケーションは、ＳＩＭカードの内、例えば再書換可能メモリー区域（ＥＥＰＲＯＭ）に収納されることが可能である。モバイル機器２６中に少なくとも幾つかのアプリケーションを収納することもまた可能である。更に、アプリケーションは、サーバに手順を実行させたり、数値を求めたりするために、遠隔サーバ８−９−１０にリクエストを送ることが可能である。これらのリクエストは、それらの信頼性、信憑性、それらの非拒否性と発信元の信憑性を保証するために、好ましくは、例えば、暗号化され、ＳＩＭカードに保存された個別の署名鍵による署名などの電子的な方法で、セキュリティーを付与する。アプリケーション２５の一例は、例えば通貨の変換のような、データを変換することに関するものであり、それは、ＳＩＭカードの中及び／または、モバイル機器の中にあるアプリケーションを用いて、場合によっては交換比率を求めさせながら、またはそのような変換作業全体を遠隔サーバ８−９−１０から、及び／または、そのモバイル機器２６の近くの周辺装置から実施することが可能である。変換を遠隔サーバ８−９−１０から実施することも可能である。他の応用例は後述することにする。前述の“ＣＡＬＬ  ＣＯＮＴＲＯＬ”機能を用いることによって、機器にインストールされたものであろうと、遠隔操作によるものであろうと、どのようなアプリケーションでも作動させることができるのが実情である。
【００３２】
本発明によるシステムは、場合によってはアプリケーション２５から送られる、リクエストメッセージを受信、伝達するために、メッセージ・センター７を更に含んでいる。メッセージ・センターは、移動基地局２１が接続されたモバイルネットワークを介することよって、アクセスすることが可能であり、そして、例えばこのモバイル通信ネットワークのオペレーターによって管理されることが可能である。このようなリクエストがＳＭＳから構成されるものである場合、メッセージ・センターは、ＳＭＳＣ（Ｓｈｏｒｔ  Ｍｅｓｓａｇｅ  Ｓｙｓｔｅｍ  Ｃｅｎｔｅｒ）で構成されることも可能である。このようなリクエストがｅメールで送られるものである場合、センター７は、電子メールサーバで構成される。アプリケーション２５によって送られるリクエストに用いられる搬送波のタイプに従って、他のタイプのメッセージ・センターを用意することも可能である。リクエストは、例えば、パケット伝送通信網を介してパケット・データの形で送ることも可能である。
【００３３】
サーバ８−９−１０はモジュール８を含み、該モジュールは、モバイル通信ネットワークを介してリクエストを実行することができ、そして、要請されたアプリケーションを実行することができる。モジュール８は、例えばバーチャルプライベートネットワークＶＰＮを介したＴＣＰ−ＩＰリンクによる、どのようなタイプのリンクによってもメッセージ・センター７に接続することができる。実行されたリクエストは、いかなる時においても変更可能であり、そしてモジュール８に保存されている、あるいは、例えば、ｈｔｔｐリンクまたはＦＴＰを介して、このサーバからアクセス可能である、動的パラメーター９を用いることが可能である。これらのパラメーターは、モバイルネットワークの加入者のプロフィールが、自動的に識別された同じモバイルネットワークの加入者による一連の複数のリクエストから確立されるように、その通信に用いたい言語、住所、それぞれのプログラム固有等、モバイルネットワークの加入者の好みを包含することが可能である。
【００３４】
モバイルネットワークの加入者がパラメーター９を変更できるようにするために、サーバ８−９−１０の中に、一つまたは複数のインターフェース１０を用意してもよい。変更は、例えば移動基地局２１から、インターネットに接続されたコンピューターから、あるいは、他の電話端末から、あるいは、ＳＭＳによるデータ、ｅメール、音声制御あるいは、音声認識モジュールを使って分析したＤＴＭＦ、あるいは、例えばウエブ・ページを介して、インプットされてもよい。
【００３５】
本発明のシステムには、更に一つまたは複数の他のサーバ１２を含んでいてもよく、該サーバは、付加価値のあるサービス業従事者によって管理され、これに、サーバ８−９−１０が、例えばインターネットのようなネットワーク１１を介して、接続することができる。
【００３６】
これから図２を参照しつつ、本発明のコマンド解釈プログラム２２のそれぞれの段階を説明していく。段階３２において、移動基地局２１は、通信確立待ち受けモード（“ｉｄｌｅ  ｍｏｄｅ”）になっている。このモードにおいては、移動基地局は、モバイルネットワークの加入者が、通信を確立するための一連の暗号をインプットするのを待っている。そういうわけで、移動基地局は、ユーザー・インターフェースの特別なメニューには見あたらない。
【００３７】
数字のシーケンス及び／または、*あるいは＃のようなキャラクタは、段階３３でモバイルネットワークの加入者によってインプットされ、通常、通信を確立するのに用いられるＣＡＬＬというキーでインプットは終了する。例えばＰＤＡの場合において、モバイル機器２６のキーボードが、英数字及び／または、補足的な特別なキャラクタのキーを含んでいたと仮定すると、インプットされたシーケンスは、英数字のキャラクタ及び／または、補足的な特別なキャラクタを包含することが可能である。
【００３８】
本発明により、プログラム２２のルーチン３５から３１１は、通信確立シーケンスとアプリケーション起動コマンドとの間を区別することを可能にする。アプリケーション起動コマンドの場合、同様に、ルーチン３５から３１１は、そのアプリケーションを直接始動することを可能にする。
【００３９】
制御手順３５は、手順３３でモバイルネットワークの加入者によってインプットされたシーケンスを傍受する。手順３５は例えば、モバイルネットワークの加入者が移動基地局２１の“ｉｄｌｅ  ｍｏｄｅ”からインプットしたシーケンスを傍受するために、“ＣＡＬＬ  ＣＯＮＴＲＯＬ”機能を用いることができる。段階３６において、このようなシーケンスの構文は、アルゴリズム３７を用いて分析され、インプットされたシーケンスの構文が、所定のコマンドの構文の等級に属するものか、あるいは、逆に、ＵＳＳＤの構文の等級に属するものか、あるいは加入者の電話番号か、他の特別なサービスの番号なのかを検証する。所定のコマンドの構文の等級は、例えば、キャラクタ*あるいは＃を包含する文字列のあらゆるシーケンスを包含していてよいが、それにも関わらず、キャラクタＵＳＳＤとは区別がつくものである。様々な等級のはっきりと区別のつく様々な構文が、様々なアプリケーションの始動に想定される。
【００４０】
分析３６に続いて、モバイルネットワークの加入者によってインプットされたシーケンスのテストは、テスト３８において、以下のように明言された：
【００４１】
・ネガティブ。この場合、シーケンスの分析は中断され、モバイル機器は、（段階３１２で）インプットされた番号に加入者が申請する呼び出しを、通常通り継続することができる。
【００４２】
・ポジティブ。この場合、手順は、次の指示３９の方向で継続される。
【００４３】
手順３９において、モバイル機器２６は、次の指示３１１において待機中の、モバイル機器２６の他の一切の活動を保留にするために、待ち受けモード（モバイル機器で要請された“Ｍｏｒｅ  Ｔｉｍｅ”コマンド）に設置される。
【００４４】
手順３３でのモバイルネットワークの加入者によってインプットされたシーケンスによると、補足的なパラメーターは、段階３１０で、ＳＩＭカード２７、及び／またはモバイル機器２６、及び／または遠隔サーバにおいて、要請または検索される。これらのパラメーターは、選択された特定のアプリケーションによって変化するものである。変換をリクエストする場合、リクエストされたパラメーターは、例えば、モバイルネットワークの加入者によって事前に保存された好み、あるいは、加入者の地理的状況に関する情報が含まれていてもよい。アプリケーションによると、モバイルネットワークの加入者によってコマンド回線にインプットされた最初のシーケンスに、少なくとも幾つかのパラメーターを直接包含させることができる。
【００４５】
手順３１１において、モバイルネットワークの加入者によってリクエストされたアプリケーションは、最終的に実行される。この段階は、ＳＩＭカード２７における、及び／またはモバイル機器２６における一つのプログラム、またはアプレットの実行、及び／または遠隔サーバ８−９−１０へのリクエスト・メッセージの送付、例えばアプリケーションを活用するリクエストの実行を担当するサーバへのｅメールの自動送付を前提とするものである。アプリケーションの実行中、モジュール２４は、必要であればその結果をモバイル機器のスクリーンに表示し、あるいはそのモバイルネットワークの加入者に、場合によっては補足のパラメーターを送るように指示し、その上で、移動基地局２１は、段階３２に戻り“ｉｄｌｅ  ｍｏｄｅ”というその呼び出し待ち受けモードに復帰することになる。
【００４６】
図３は、通貨変換アプリケーションの起動コマンドに対応するシーケンスのインプットを示したものである。移動基地局は、これにおいて、呼び出しシーケンスのインプット待ち受けモードになっている。このモードでは、モバイルネットワークの加入者は、キーボード２１２で所望される呼び出し番号をインプットすることにより、そしてＣＡＬＬ２１０のキーで確認することにより、呼び出しを実行することができる。しかしながら、図３においては、呼び出し番号に対応するシーケンスをインプットする代わりに、モバイルネットワークの加入者は、モバイルネットワークの加入者のプロフィールの最新情報に対応する、あるいは、地理的状況に関連したオプションに従った、通貨の所定の組合せに基づき、１２３．４５という総額自体を変換するために、変換アプリケーションの起動コマンドに対応する、この例において１２３*４５である、シーケンス２１３をインプットする。データ変換コマンド２１３は、電話ダイヤリングシーケンスと同じようにインプットされる。インプットされたコマンド２１３の構文は、しかしながら、電話番号のそれとは異なるものであり、なぜなら、この例において、インプットされた一連のものは、加入者の電話番号の構文の等級、及びＵＳＳＤのそれとは区別されるためである。ＣＡＬＬキーの選択後に始動するコマンド解釈プログラム２２は、この特殊なシーケンスの認識と、このような構文では達成できない電話呼び出しを確立しようとする代わりに、変換アプリケーションの実行を始動することが可能である。アプリケーションは、好ましくは、モバイル機器、あるいは、遠隔サーバ８−９−１０の中のＳＩＭカードに保存されている、モバイルネットワークの加入者の好みを使用して、結果を表示すべき言語と、総額をその二つのどちらにでも変換することのできる、通貨の組合せを決定する。変換それ自体は、モバイル機器の中にあるＳＩＭカードの中の、または、自動的に送られた変換比率の要求のリクエストによって遠隔サーバ８−９−１０から得られた変換比率により、ＳＩＭカード、または、モバイル機器によって実施すること可能である。変換の計算を遠隔サーバ８−９−１０に実行させることも可能である。
【００４７】
図４は、変換アプリケーション２５が表示した結果を示している。この例では、変換アプリケーションは、モバイルネットワークの加入者のプロフィールの情報またはリクエストの時点での加入者の地理的位置に応じてどちらの方向に変換可能な結果を提供することでモバイルネットワークの加入者がインプットした総額１２３．４５を変換するものである。この例において、変換アプリケーションは、モバイルネットワークの加入者のプロフィールの情報、または、そのリクエストの際の地理的状況に応じて、その二つのどちらにでも変換可能な結果を提供しながら、モバイルネットワークの加入者によってインプットされた総額１２３．４５を変換する。この例において、アプリケーションは１２３．４５ＣＨＦをユーロの相当額に、そして、１２３．４５ユーロをＣＨＦ（スイス・フラン）の相当額に変換することを実行し、同一のスクリーンに表示する。このように、モバイルネットワークの加入者の変換リクエストは、変換すべき総額だけを内包し、どちらに変換するかを明確にする必要はない。
【００４８】
Ｃａｌｌ  Ｃｏｎｔｒｏｌ機能の傍受方法が、ＳＩＭカード、モバイル機器、または、遠隔機器によって実行される、いかなるアプリケーションをも始動することが可能であり、本発明が、通貨変換の問題にのみ限定されるものではないことを、当業界者は理解するであろう。通貨以外のものの変換、例えば、測定単位の変換は、例えば同じ方法で実施することができる。ゲーム、特にビンゴ式ロト、ギャンブル、ペタンクやビリヤードなどの微妙なコントロールを競うゲームやアーケードゲームを始動することも同様に可能である。また、本発明の枠内で、遠隔地の従事者１２に製品や情報の注文のリクエストを自動的に送付することも可能となる。モバイルネットワークの加入者の従事者１２へのリクエストはまた、遠隔オートマトンを動かす役割も果たし得る。一見して明らかに虚偽の番号を構成する加入者を、自動的に呼び出しセンターまたは電話情報センターに接続することも可能である。
【図面の簡単な説明】
【００４９】
【図１】モバイル機器の中の識別カードと遠隔サーバとを包含するシステムの全体図。
【図２】識別カードによって実行される本発明の方法の各手順のフローチャート。
【図３】通貨の変換のアプリケーションを起動するコマンドの、インプットスクリーンを示した図。
【図４】遠隔サーバから生成された結果を表示する際の、モバイル機器のスクリーンを示した図。
【符号の説明】
【００５０】
７  メッセージ・センター
１１  ネットワーク
２１  移動基地局
２６  モバイル機器
２７  ＳＩＭカード
２１０  接続確立キー
２１２  キーボード
２１３  コマンド
２１３  シーケンス
２１３  データ変換コマンド
【国際公開パンフレット】
2004536540.tif 000003
2004536540.tif 000004
2004536540.tif 000005
2004536540.tif 000006
2004536540.tif 000007
2004536540.tif 000008
2004536540.tif 000009
2004536540.tif 000010
2004536540.tif 000011
2004536540.tif 000012
2004536540.tif 000013
2004536540.tif 000014
2004536540.tif 000015
2004536540.tif 000016
2004536540.tif 000017
2004536540.tif 000018
2004536540.tif 000019
2004536540.tif 000020
2004536540.tif 000021
2004536540.tif 000022
2004536540.tif 000023
2004536540.tif 000024
【手続補正書】
【提出日】平成15年7月11日(2003.7.11)
【手続補正１】
【補正対象書類名】特許請求の範囲
【補正対象項目名】全文
【補正方法】変更
【補正の内容】
【特許請求の範囲】
【請求項１】
モバイル機器（２６）を用いてアプリケーションを始動させる方法であり、
コマンド解釈プログラム（２２）が、前記モバイル機器（２６）及び／または前記モバイル機器中の加入者識別カード（２７）において、空間インターフェイス（ＯＴＡ技術、Ｏｖｅｒ−ｔｈｅ−Ａｉｒ）を介して送られたメッセージによって、設置され、
アプリケーション（２５）が、再書換可能メモリー区域に収納され、
電話呼び出しの確立前に番号をインプットするためのものと、同様のモードに設置された前記モバイル機器に一つのシーケンス（２１３）がインプットされ、
プログラム（２２）が、前記シーケンスが所定の特殊な構文を有している場合、前記アプリケーション（２５）を起動する、という手順を含むことを特徴とする方法。
【請求項２】
シーケンスのインプットは、接続確立キー（２１０）を押すことで確認されることを特徴とする、請求項１に記載の方法。
【請求項３】
前記シーケンスは、数字及び／またはキャラクタ「*」あるいは「＃」のみを含むことを特徴とする、請求項２に記載の方法。
【請求項４】
前記所定の特殊な構文は、電話通信の確立または、ＵＳＳＤメッセージを送るために用いられるものと構文が異なることを特徴とする、請求項１または請求項２に記載の方法。
【請求項５】
前記アプリケーション（２５）は、オペランドを変換するアプリケーションであり、そのアプリケーションの結果が、前記モバイル機器のディスプレイ（２１１）に表示されることを特徴とする、請求項４に記載の方法。
【請求項６】
前記オペランドのフォーマットは、第一の数字部分と、前記モバイル機器（２６）の数字のキーボード（２１２）上の英数字のキャラクタから形成されたセパレータと、そしてディジットが固定または限定された第二の数字部分とを有することを特徴とする、請求項５に記載の方法。
【請求項７】
前記アプリケーション（２５）が、異なる二つの変換方向で前記オペランドの変換を開始すると、その二つの結果は、同時に前記ディスプレイ（２１２）に表示されることを特徴とする、請求項５または請求項６に記載の方法。
【請求項８】
前記アプリケーション（２５）は、遠隔サーバ（８）との通信を前提としたものであることを特徴とする、請求項１から請求項７に記載のいずれか一つの方法。
【請求項９】
前記アプリケーション（２５）が、前記遠隔サーバ（８）にリクエストを送ることを特徴とする、請求項８に記載の方法。
【請求項１０】
前記リクエストが、ショート・メッセージＳＭＳによって、前記サーバ（８）に送られることを特徴とする、請求項９に記載の方法。
【請求項１１】
前記リクエストが、パケット伝送通信網中をパケット・データの形で、前記サーバ（８）に送られることを特徴とする、請求項９に記載の方法。
【請求項１２】
前記リクエストが、ｅメールによって前記サーバ（８）に送られることを特徴とする、請求項９に記載の方法。
【請求項１３】
前記サーバ（８）が、前記リクエストにレスポンスを内包するメッセージを送ると、前記レスポンスは、前記ディスプレイ（２１１）に表示されることを特徴とする、請求項９から請求項１２のいずれか一つに記載の方法。
【請求項１４】
前記レスポンスが、モバイルネットワークの加入者のプロフィールによって変わるものであることを特徴とする、請求項１から請求項１３のいずれか一つに記載の方法。
【請求項１５】
前記プロフィールの少なくとも幾つかの要素（９）を、前記遠隔サーバ（８）に保存することを特徴とする、請求項１４に記載の方法。
【請求項１６】
前記プロフィールの少なくとも幾つかの要素を、識別カード中に保存することを特徴とする、請求項１４または請求項１５に記載の方法。
【請求項１７】
前記アプリケーションが、前記移動基地局（２１）中の加入者識別カード（２７）によって実行されることを特徴とする、請求項１から請求項１６のいずれか一つに記載の方法。
【請求項１８】
前記アプリケーションが、前記モバイル機器（２６）によって実行されることを特徴とする、請求項１から請求項１７のいずれか一つに記載の方法。
【請求項１９】
前記プログラムが、前記移動基地局中の加入者識別カード（２７）によって実行される、コマンド解釈プログラムであることを特徴とする、請求項１から請求項１８のいずれか一つに記載の方法。
【請求項２０】
前記加入者識別カード（２７）が、ＳＩＭ−Ｔｏｏｌｋｉｔ機能を備えたＳＩＭカードであり、前記コマンド解釈プログラム（２２）は、前記シーケンスの構文を検証するための呼び出し制御機能を用いていることを特徴とする、請求項１９に記載の方法。
【請求項２１】
前記コマンド解釈プログラム（２２）及び／または前記アプリケーション（２５）は、モバイルネットワークのオペレーターがパーソナル化を行う際、加入者識別カード（２７）中にインストールされることを特徴とする、請求項２０に記載の方法。
【請求項２２】
前記コマンド解釈プログラム（２２）及び／または前記アプリケーション（２５）が、空路によって、前記加入者識別カード（２７）中に無線でインストールされることを特徴とする、請求項２０に記載の方法。
【請求項２３】
前記コマンド解釈プログラム（２２）が、前記モバイル機器（２６）によって実行されることを特徴とする、請求項１から請求項１８のいずれか一つに記載の方法。
【請求項２４】
幾つもの別々のアプリケーション（２５）が、前記コマンド解釈プログラム（２２）によって認識された様々なシーケンスがインプットされることにより起動することを特徴とする、請求項１から請求項２３のいずれか一つに記載の方法。
【請求項２５】
電話による呼び出しを確立するシーケンスと同様の方法で、モバイル機器（２６）中にインプットされたシーケンスを傍受し、このようなシーケンスのフォーマットが、電話番号のフォーマットとは異なり、そしてＵＳＳＤメッセージのフォーマットとも異なることを認識し、そして、この場合に再書換可能メモリー区域に収納されたアプリケーション（２５）を始動するための、モバイル機器の空間インターフェイス（ＯＴＡ技術、Ｏｖｅｒ−ｔｈｅ−Ａｉｒ）を介して送られたメッセージによって設置された、コマンド解釈プログラム（２２）を含むことを特徴とする、モバイル機器（２６）用の識別カード。
【請求項２６】
電話による呼び出しを確立するシーケンスと同様の方法で、モバイル機器（２６）中にインプットされたシーケンスを傍受し、このようなシーケンスのフォーマットが、電話番号のフォーマットとは異なり、そしてＵＳＳＤメッセージのフォーマットとも異なることを認識し、そして、この場合に再書換可能メモリー区域に収納されたアプリケーション（２５）を始動するための、前記モバイル機器の空間インターフェイス（ＯＴＡ技術、Ｏｖｅｒ−ｔｈｅ−Ａｉｒ）を介して送られたメッセージによって設置された、コマンド解釈プログラム（２２）を含むことを特徴とする、モバイル機器（２６）。
【国際調査報告】
2004536540.tif 000025
2004536540.tif 000026
2004536540.tif 000027
2004536540.tif 000028
2004536540.tif 000029
2004536540.tif 000030
2004536540.tif 000031
2004536540.tif 000032
2004536540.tif 000033